(57)【要約】【課題】火元確認のために一定時間の間、連動警報の出力を中断していても、その火元確認のための一定時間の間に、最初の火元とは異なる別の火元が発生した場合には、連動警報を出力する火災警報器を提供する。【解決手段】停止ボタン１３Ａと、連動停止タイマ１０Ａを有する制御部１０とを備えており、制御部１０は、火災警報処理と、連動警報処理と、火災要因を検知していないときに連動信号を受信した後に、停止ボタン１３Ａが操作されたことを検出したときには、信号線Ｌに連動停止信号を送信させる連動停止信号送信処理と、火災要因を検知した後に、連動停止信号を受信する毎に、連動停止タイマ１０Ａを起動させ、その後、タイムアップするまでの間は、火災警報を出力させたまま、連動信号の送信を禁止させ、タイムアップした後は、連動信号の送信の禁止を解除する連動信号送信禁止処理と、を行う。【選択図】        図１
2010049717.tif 000002
【特許請求の範囲】
【請求項１】
火災警報、連動警報を出力する構成の火災警報器において、
停止ボタンと、連動停止タイマを有する制御部とを備えており、
前記制御部は、
火災要因を検知したときには、火災警報を出力させるとともに、他の火災警報器に対して連動信号を送信する火災警報処理と、
火災要因を検知していないときに、他の火災警報器から前記連動信号を受信したときには、連動警報を出力する連動警報処理と、
火災要因を検知していないときに前記連動信号を受信した後に、前記停止ボタンが操作されたことを検出したときには、他の火災警報器に対して連動停止信号を送信させる連動停止信号送信処理と、
火災要因を検知した後に、前記連動停止信号を受信する毎に、前記連動停止タイマを起動させ、その後、タイムアップするまでの間は、火災警報を出力させたまま、前記連動信号の送信を禁止させ、タイムアップした後は、前記連動信号の送信の禁止を解除する連動信号送信禁止処理と、を行うものであって、
タイムアップするまでの間に新たに火災要因を検知すれば火災警報を出力させるとともに他の火災警報器に対して連動信号を送信し、さらに、タイムアップするまでの間に他の火災警報器から送信された連動信号を受信すれば火災警報を出力させることを特徴とする、火災警報器。
【請求項２】
請求項１において、
前記制御部は、火災要因を検知していないときに、他の火災警報器から前記連動信号、前記連動停止信号以外の他の信号を受信する毎に、その信号に基づいた処理を行う信号処理を更に行うようにしており、
前記連動信号送信禁止処理では、前記連動信号の送信を禁止している間には、前記連動信号、前記連動停止信号以外の他の信号を送信するようにしていることを特徴とする、火災警報器。
【請求項３】
請求項１または請求項２に記載の火災警報器の複数を備え、これら複数の火災警報器が互いに信号を送受信するように構成していることを特徴とする、火災警報システム。
【発明の詳細な説明】
【技術分野】
【０００１】
本発明は、火災警報、連動警報を出力する構成の火災警報器、及び、この火災警報器を複数用いて構成した火災警報システムに関する。
【背景技術】
【０００２】
近時、一般住宅などでは、火災警報器を複数用いて構成した連動型火災警報システムが広く使用されており、このような連動型火災警報システムは、複数の火災警報器を信号線を通じて接続して構成され、自身で火災を検知したときには火災警報を出力するとともに連動信号を信号線に送信する一方、自身で火災を検知していないときに、他の火災警報器から信号線を通じて連動信号を受信したときには連動警報を出力するようになっている。
【０００３】
下記特許文献１では、この種の連動型火災警報システムが提案されており、信号線を通じて複数の火災警報器が接続されており、いずれかの火災警報器が火災要因を検知したときには、自身から火災警報を出力するとともに、所定の電圧レベルのパルス信号を連動信号として送信することによって、他の火災警報器から連動警報を出力させて、住人が、いずれかの火災警報器で火災を検知していることを知覚できるようになっている。
【０００４】
このように、特許文献１で提案される連動型火災警報システムを含めて、従来の連動型火災警報システムでは、住人は、火災警報の出力と連動警報の出力とによって、いずれかの火災警報器で火災を検知していることを知覚することができ、このような連動型火災警報システムでは、住人が、少なくとも、連動警報を出力している火災警報器側で、停止ボタンを操作したときには、停止ボタンが操作された火災警報器は、報知レベルとは電圧レベルが異なるパルス信号を連動停止信号として送信する。すると、連動警報を出力している火災警報器は、連動停止信号を受信して、その後の一定時間の間は、火元の火災警報器から連動信号を受信しても、これをキャンセルして、連動警報を出力させない。
【０００５】
これにより、住人が、連動警報を出力している火災警報器側で停止ボタンを操作してから、一定時間の間を火元の確認時間として、火災警報を手がかりにして、火元がいずれの場所にあるのかを確認できるようになっている。
【先行技術文献】
【特許文献】
【０００６】
【特許文献１】特開２００５−３３９０３２号公報
【発明の概要】
【発明が解決しようとする課題】
【０００７】
ところで、上記した従来の連動型火災警報システムでは、火元の確認時間の間には、火元以外の連動警報を出力していた火災警報器が火災要因を検知して火災警報の出力と連動信号の出力とを行っても、連動警報を一時中断している火災警報器は、新たな火元から連動信号を受信してもこれをキャンセルして連動警報を出力しないようにしているため、住人は、火元の確認時間の間に、新たな火元が発生したことを知覚することが困難であった。
【０００８】
本発明は、このような事情を考慮して提案されるものであり、火元確認のために一定時間の間、連動警報の出力を中断していても、その一定時間の間に、最初の火元とは異なる別の火元が発生した場合には連動警報を出力することで、住人が、火元の確認時間の間に、新たな火元が発生したことを知覚できる火災警報器、及び、このような火災警報器を用いて構成した火災警報システムを提供することを目的とする。
【課題を解決するための手段】
【０００９】
上記目的を達成するために、請求項１に記載の火災警報器では、停止ボタンと、連動停止タイマを有する制御部とを備えており、前記制御部は、火災要因を検知したときには、火災警報を出力させるとともに、他の火災警報器に対して連動信号を送信する火災警報処理と、火災要因を検知していないときに、他の火災警報器から前記連動信号を受信したときには、連動警報を出力する連動警報処理と、火災要因を検知していないときに前記連動信号を受信した後に、前記停止ボタンが操作されたことを検出したときには、他の火災警報器に対して連動停止信号を送信させる連動停止信号送信処理と、火災要因を検知した後に、前記連動停止信号を受信する毎に、前記連動停止タイマを起動させ、その後、タイムアップするまでの間は、火災警報を出力させたまま、前記連動信号の送信を禁止させ、タイムアップした後は、前記連動信号の送信の禁止を解除する連動信号送信禁止処理と、を行うものであって、タイムアップするまでの間に新たに火災要因を検知すれば火災警報を出力させるとともに、他の火災警報器に対して連動信号を送信することを特徴とする。
【００１０】
請求項２に記載の火災警報器では、前記制御部は、火災要因を検知していないときに、他の火災警報器から前記連動信号、前記連動停止信号以外の他の信号を受信する毎に、その信号に基づいた処理を行う信号処理を更に行うようにしており、前記連動信号送信禁止処理では、前記連動信号の送信を禁止している間には、前記連動信号、前記連動停止信号以外の他の信号を送信するようにしていることを特徴とする。
【００１１】
請求項３に記載の火災警報システムでは、請求項１または請求項２に記載の火災警報器の複数を備え、これら複数の火災警報器が互いに信号を送受信するように構成していることを特徴とする。
【発明の効果】
【００１２】
請求項１に記載の火災警報器によれば、停止ボタンと、連動停止タイマを有する制御部とを備えており、制御部は、火災要因を検知したときには、火災警報を出力させるとともに、他の火災警報器に対して連動信号を送信する火災警報処理と、火災要因を検知していないときに、他の火災警報器から前記連動信号を受信したときには、連動警報を出力する連動警報処理と、火災要因を検知していないときに前記連動信号を受信した後に、前記停止ボタンが操作されたことを検出したときには、他の火災警報器に対して連動停止信号を送信させる連動停止信号送信処理と、火災要因を検知した後に、前記連動停止信号を受信する毎に、前記連動停止タイマを起動させ、その後、タイムアップするまでの間は、火災警報を出力させたまま、前記連動信号の送信を禁止させ、タイムアップした後は、前記連動信号の送信の禁止を解除する連動信号送信禁止処理と、を行うものであって、タイムアップするまでの間に新たに火災要因を検知すれば火災警報を出力させるとともに他の火災警報器に対して連動信号を送信し、さらに、タイムアップするまでの間に他の火災警報器から送信された連動信号を受信すれば火災警報を出力させる。
【００１３】
したがって、火元となった火災警報器は、以下の処理をなす。すなわち、火元となった場合には、火災要因を検知して、火災警報を出力するとともに、連動信号を信号線に出力する（火災警報処理）。また、火災要因を検知した後に、火災警報を出力中に、連動停止信号を受信する毎に、連動停止タイマを起動させ、一定時間経過するまでの間は、連動信号の送信を禁止させ、一定時間経過後には、連動信号の送信の禁止を解除する（連動信号送信禁止処理）。
【００１４】
一方、火元以外の火災警報器は、以下の処理をなす。すなわち、火災要因を検知していないときに、信号線を通じて連動信号を受信したときには、連動警報を出力する（連動警報処理）。また、火災要因を検知していないときに連動信号を受信した後に、停止ボタンが操作されたことを検出したときには、信号線に連動停止信号を送信させる（連動停止信号送信処理）。
【００１５】
請求項１に記載の火災警報器は、以上の作用をなすので、以下の効果を発揮できる。すなわち、火元となった場合には火災警報が出力される一方、火元以外となった場合には連動警報が出力され、そのため、住人は、いずれかの火災警報器で火災を検知したことを知覚できる。
【００１６】
また、連動警報を出力している火災警報器側では、住人による停止ボタンの操作を受け付けて、信号線に連動停止信号を送信することで、火元の火災警報器から、その後、一定時間の間は、火災警報の出力を維持させたまま、連動信号を送信させないため、従来のように、火元から送信されてきた連動信号をキャンセルするようなソフト的な処理を行う必要なしに、連動警報を出力していた火災警報器からの連動警報の出力を中断させることができ、住人は、その時間を火元の確認時間として、火災警報を手がかりにして、火元がどこなのかを確認できる。
【００１７】
更に、このような火元の確認時間として、連動警報の出力を中断している火災警報器が火災要因を検知したときには、火災警報の出力とともに連動信号を信号線に送信して、火災要因を検知している火災警報器以外の火災警報器に連動警報を出力させるので、住人は、連動警報の出力を中断させた、火元の確認時間の間に、新たな火元が発生したことを知覚できる。
【００１８】
請求項２に記載の火災警報器によれば、制御部は、火災要因を検知していないときに、他の火災警報器から前記連動信号、前記連動停止信号以外の他の信号を受信する毎に、その信号に基づいた処理を行う信号処理を更に行うようにしており、前記連動信号送信禁止処理では、前記連動信号の送信を禁止している間には、前記連動信号、前記連動停止信号以外の他の信号を送信するようにしている。
【００１９】
これにより、火元の火災警報器は、連動警報を出力している際に停止ボタンが操作された他の火災警報器から連動停止信号を受信したときには、連動信号の送信を禁止して、連動信号、連動停止信号以外の他の信号を送信して、これを受信した火元以外の火災警報器により、受信した信号に基づいた処理を行わせることができるので、火元の火災警報器が、連動信号送信禁止処理において、連動信号の代わりに、例えば、確認信号を出力して、火元以外の火災警報器により、「火元の確認中です」といった音声メッセージを出力させることができる。
【００２０】
そのため、住人は、火元の確認時間の間に、誰かが火元の確認作業を行っている最中ということを、容易に知覚でき、利便である。
【００２１】
請求項３に記載の火災警報システムによれば、請求項１または請求項２に記載の火災警報器の複数を備え、これら複数の火災警報器が互いに信号を送受信するように構成している。したがって、複数の火災警報器で連動型火災警報システムを構成することができるため、請求項１または請求項２の効果を奏する連動型火災警報システムを低コストで提供できる。
【図面の簡単な説明】
【００２２】
【図１】本発明の火災警報器を用いた火災警報システムの概略構成の一例を示すブロック図
【図２】本発明の火災警報システムで用いる連動信号、連動停止信号の説明図であり、図２（ａ）は信号通信タイミングの説明図、図２（ｂ）は信号フォーマットの説明図
【図３】本発明の火災警報器の基本動作の一例を説明するためのフローチャート
【図４】本発明の火災警報システムの基本動作を概略的に示す説明図
【発明を実施するための形態】
【００２３】
以下、本発明の実施の形態について、図面とともに説明する。
（実施形態１）
図１は、本発明の火災警報器を用いた火災警報システムの概略構成の一例を示すブロック図である。
【００２４】
本発明の火災警報システムは、複数の火災警報器１（＃１、＃２）が、同一の信号線Ｌに接続されて、連動型火災警報システムとされている。また、火災警報器１（＃１）から信号線Ｌに対しては、火災警報器１（＃２）の駆動電源が送信されるとともに、所定の時間間隔で、同期信号が送信されている。
【００２５】
火災警報器１（＃１、＃２）の各々は、火災警報器１（＃１）から信号線Ｌに送信された同期信号を受信した後には、後述する連動信号、連動停止信号を送信するようにしており、信号線Ｌ上を、火災警報器１（＃１、＃２）の各々から、同じタイミングで、連動信号、連動停止信号を送信できるようにしている。
【００２６】
火災警報器１（＃１）は、図１に示すように、制御部を構成し、予め定められた制御プログラムに従って以下の各部を制御する制御回路１０と、少なくとも、予め登録された火災警報メッセージ、連動警報メッセージを出力する音響回路１１と、煙、熱などの火災要因を検知する火災検知回路１２と、停止ボタン１３Ａを有する操作回路１３と、少なくとも、信号線Ｌを通じて送信されてくる連動信号、連動停止信号を受信する受信回路１４と、少なくとも、連動信号、連動停止信号を送信する送信回路１５と、信号線Ｌに対して、火災警報器１（＃２）の駆動電源を生成して出力する電源回路１６とを備えている。
【００２７】
一方の火災警報器１（＃２）は、火災警報器１（＃１）から信号線Ｌを通じて出力された駆動電源によって駆動する構成とされており、制御部を構成し、予め定められた制御プログラムに従って以下の各部を制御する制御回路１０と、少なくとも、予め登録された火災警報メッセージ、連動警報メッセージを出力する音響回路１１と、煙、熱などの火災要因を検知する火災検知回路１２と、停止ボタン１３Ａを有する操作回路１３と、少なくとも、信号線Ｌを通じて送信されてくる連動信号、連動停止信号を受信する受信回路１４と、少なくとも、連動信号、連動停止信号を送信する送信回路１５とを備えている。
【００２８】
火災警報器１（＃１）は、火災警報器（＃２）とは、同期信号送信回路１５Ａと電源回路１６とを更に付加したことが相違している。
【００２９】
同期信号送信回路１５Ａは、所定の時間間隔で信号線Ｌに対して同期信号を送信するようになっており、火災警報器１（＃１、＃２）の送信回路１５は、受信回路１４が信号線Ｌに送信された同期信号を受信した後に、連動信号、連動停止信号を、信号線Ｌに送信する。なお、同期信号送信回路１５Ａは、火災警報器１（＃２）側に設けたり、火災警報器１（＃１、＃２）とは独立させて信号線Ｌに接続してもよい。
【００３０】
火災警報器（＃１、＃２）が備える制御回路１０は、火災検知回路１２が火災要因を検知したときには、音響回路１１より予め登録された火災警報メッセージを出力させるとともに、送信回路１５によって連動信号を送信させる（火災警報処理）。
【００３１】
そして、火災要因を検知しなくなったときには、即座に、火災警報処理を停止させる。なお、火災要因を検知しなくなってから、一定時間が経過した後に、火災警報処理を停止させてもよい。なお、火災警報メッセージの一例としては、「ビュー、ビュー、火事です、火事です、」といったメッセージがある。
【００３２】
また、制御回路１０は、火災検知回路１２が火災要因を検知していないときに、受信回路１４が、信号線Ｌを通じて送信されてきた連動信号を受信したときには、音響回路１１より予め登録された連動警報メッセージを出力させる（連動警報処理）。なお、連動警報メッセージの一例としては、「ビュー、ビュー、他の部屋で火事です。」といったメッセージがある。
【００３３】
更に、制御回路１０は、火災検知回路１２が火災要因を検知した後に、停止ボタン１３Ａが操作されたことを検出したときには、先述した火災警報処理を、一定時間の間停止させる。
【００３４】
更に、制御回路１０は、信号線Ｌを通じて連動信号を受信した後に、停止ボタン１３Ａが操作されたことを検出したときには、信号線Ｌに対して連動停止信号を送信する（連動停止信号送信処理）。
【００３５】
更に、制御回路１０は、図１に示すように、連動停止タイマ１０Ａを備えており、火災検知回路１２で火災要因を検知し、その後、受信回路１４が、信号線Ｌに送信された連動停止信号を受信したときには、連動停止タイマ１０Ａによる計時をスタートさせ、一定時間を計時するまでの間は、送信回路１５からの連動信号の送信を禁止させる（連動信号送信禁止処理）。
【００３６】
図２は、本発明の火災警報システムで用いる連動信号、連動停止信号の説明図であり、図２（ａ）は信号通信タイミングの説明図、図２（ｂ）は信号フォーマットの説明図である。
【００３７】
火災警報器１（＃１、＃２）の各々は、図２（ａ）に示すように、伝送コマンド（本実施形態では、連動コマンド、連動停止コマンド）を通信すべき、０．３ｓ間隔の信号通信タイミングと、直前の信号通信タイミングで受信した伝送コマンドに基づいた処理を行うべき１．７ｓ間隔のコマンド処理タイミングとを繰り返し経て、他の火災警報器１（＃１、＃２）と信号通信を行うようにしている。
【００３８】
そして、各々の通信処理タイミングでは、図２（ｂ）に示すように、３０ｍｓの待ち時間を経て、信号線Ｌに送信された８０ｍｓ間隔の同期信号Ｓ０，Ｓ１を受信した後に、伝送コマンドを信号線Ｌに送信する処理を行うようにしている。
【００３９】
各伝送コマンドは、各々２０ｍｓの複数の８桁のビット列Ｄ０〜Ｄ７で構成されており、イベント発生時には制御回路１０によって生成され、制御回路１０は、連動信号を出力すべきときには、連動信号として連動コマンドを、連動停止信号を出力すべきときには、連動停止信号として連動停止コマンドを、それぞれ生成する。なお、各伝送コマンドを構成するビット列の桁数を本実施形態では８桁にしているが、桁数はこのような例には限られない。
【００４０】
例えば、制御回路１０は、火災要因を検知した場合には、連動コマンドを生成し、信号通信タイミングが来ると、同期信号Ｓ０，Ｓ１を受信した後に、連動コマンドを送信する（火災警報処理）。そして、連動コマンドを受けた他の火災警報器１（＃１、＃２）は、連動コマンドを受信した直後のコマンド処理タイミングの間では、先述したような連動警報処理を実行する。
【００４１】
また、制御回路１０は、連動コマンドを受信した後に、停止ボタン１３Ａが操作されたことを検出したときには、連動停止コマンドを生成し、信号通信タイミングになると、同期信号Ｓ０，Ｓ１を受信した後に、連動停止コマンドを送信する（連動停止信号送信処理）。そして、連動停止コマンドを受けた火元の火災警報器１（＃１、＃２）は、連動停止コマンドを受信した直後のコマンド処理タイミングの間では、先述したように、火災警報を維持したまま、連動信号の送信を一定時間禁止させる（連動信号送信禁止処理）。
【００４２】
なお、制御回路１０は、連動コマンドよりも連動停止コマンドを優先的に処理するようにプログラミングされており、同一の通信処理タイミングの間に、いずれかの火災警報器１（＃１、＃２）からの連動コマンドの送信の開始と、その他の火災警報器１（＃１、＃２）からの連動停止コマンドの受信の開始とが同時にあった場合には、連動コマンドの送信を開始した火災警報器１（＃１、＃２）は、連動停止コマンドのいずれかのビットＤ０〜Ｄ７を受信した時点で、連動コマンドの送信をキャンセルして、連動停止コマンドの受信を優先させるようにしている。
【００４３】
そのための、具体的な信号伝送処理としては、以下の方法がある。すなわち、各火災警報器１（＃１、＃２）の送信回路１５は、少なくともいずれかのビットに「０」を含む連動停止コマンドを、信号線Ｌを瞬間的に（本実施形態の場合は２０ｍｓの間）断線させるなどして、電圧レベルを０Ｖに低下させることにより生成し、このようにして生成した連動停止コマンドを一定回数送信するようにする一方、いずれのビットにも「１」を含む連動コマンドを、一定時間の間（ここでは２０ｍｓ×８＝１６０ｍｓ間）、信号線Ｌの電圧レベルを維持させることにより生成し、このように生成した連動コマンドを送信するようにすれば、先述した火災警報処理を行っている火災警報器１（＃１、＃２）は、信号線Ｌ上のビット「０」を受信したことを検出したときには、連動停止コマンドが送信されてきたと判断して、連動コマンドの送信をキャンセルして、連動停止コマンドの受信を開始し、連動停止コマンドの全ビット列を受信した後に、先述した連動信号送信禁止処理を行うことができる。
【００４４】
これにより、同一の通信処理タイミングの間に信号線Ｌを通じて通信される伝送コマンドの種類が１つのみとなる。
【００４５】
図３は、本発明の火災警報器の基本動作の一例を説明するためのフローチャートであり（１００〜１１３）、ステップ１００〜１０７は火元の火災警報器の処理の一例を示し、ステップ１０８〜１１３は火元以外の火災警報器の処理の一例を示している。
［火元の火災警報器の処理］
火元となった火災警報器１（＃１、＃２）は、火災要因を検知して、火災警報メッセージの出力を開始させる（１００，１０１）。その後、他の火災警報器１（＃１、＃２）から連動停止信号を受信しなければ（１０２のＮ）、連動信号を送信し（１０３）、他の火災警報器１（＃１、＃２）から連動警報メッセージを出力させる（以上、火災警報処理）。
【００４６】
そして、停止ボタン１３Ａが操作されたことを検出したときには（１０４のＹ）、火災警報メッセージの出力を一定時間の間、停止させ（１０５，１０６）、一定時間が経過した後には、ステップ１００の処理に戻り、火災検知回路１２が火災要因を検知したか否かの確認を行い、以降の処理を行う。
【００４７】
一方、停止ボタン１３Ａが操作されたことが検出されないときには（１０４のＮ）、ステップ１００の処理に戻り、火災検知回路１２が火災要因を検知したか否かの確認を行い、以降の処理を行う。
【００４８】
また、火災要因を検知し、火災警報メッセージの出力を開始させ（１００，１０１）、その後、他の火災警報器１（＃１、＃２）から連動停止信号を受信したときには（１０２のＹ）、連動停止タイマ１０Ａを起動させ、火災警報メッセージの出力を維持させたまま、連動信号の送信を一定時間禁止させ、連動停止タイマ１０Ａがタイムアップして一定時間が経過したときには（１０７のＹ）、ステップ１００の処理に戻る（以上、連動信号送信禁止処理）。
［火元以外の火災警報器の処理］
火元以外の火災警報器１（＃１、＃２）は、ステップ１００の比較判別において、火災を検知していないことが判別されるので、火災警報メッセージを出力中であればその出力を停止させ（１０８，１０９）、その後の処理（１１０〜１１３）を行う。なお、火災警報中でないときにも同様の処理（１１０〜１１３）を行う。
【００４９】
すなわち、火災警報器１（＃１、＃２）は、火元の火災警報器１（＃１、＃２）から連動信号を受信したときには（１１０のＹ）、連動警報メッセージを出力させる（１１１）（以上、連動警報処理）。
【００５０】
その後、停止ボタン１３Ａが操作されたことを検出すると（１１２のＹ）、連動停止信号を送信する（１１３）（以上、連動停止信号送信処理）。なお、停止ボタン１３Ａが操作されない限りは、火元の火災警報器１（＃１、＃２）から連動信号を受信する毎に、連動警報を出力する。
【００５１】
図４は、本発明の火災警報システムの基本動作を概略的に示す説明図である。図４（ａ）はいずれかの火災警報器が火災要因を検知した場合の制御動作の説明図、図４（ｂ）は連動警報を出力中の火災警報器側で停止ボタンが操作された場合の制御動作の説明図、図４（ｃ）は連動警報の出力を停止させた状態を示す説明図、図４（ｄ）は連動警報の出力を停止させた後、新たな火元が発生した場合の制御動作の説明図、図４（ｅ）は連動警報の出力を再開させた状態を示す説明図である。
【００５２】
火災警報器１（＃１、＃２）は、図４（ａ）に示すように、火元となった火災警報器１（＃１、＃２）、ここでは火災警報器Ａは、火災警報メッセージの出力とともに、他の火災警報器１（＃１、＃２）、ここでは火災警報器Ｂ，Ｃ，Ｄに連動信号を送信して連動警報メッセージを出力させて、住人に、いずれかの火災警報器１（＃１、＃２）が火災を検知したことを知覚させることができる。
【００５３】
また、図４（ｂ）、図４（ｃ）に示すように、連動警報メッセージを出力している火災警報器１（＃１、＃２）、ここでは、火災警報器Ｂ，Ｃ，Ｄのうち、いずれかの火災警報器（＃１、＃２）側、ここでは、火災警報器Ｃ側で、住人が停止ボタン１３Ａを操作した場合には、火元の火災警報器１（＃１、＃２）、ここでは、火災警報器Ａに連動停止信号を送信して連動信号の送信を一定時間禁止させ、その一定時間の間は、火災警報メッセージの出力を維持したまま、火災警報器Ｂ，Ｃ，Ｄからの連動警報の出力を中断させるので、火災警報器Ａから出力されている火災警報メッセージを手がかりにして、火元がどこなのかを容易に確認できる。
【００５４】
更に、図４（ｄ）、図４（ｅ）に示すように、最初の火元以外の火災警報器１（＃１、＃２）、ここでは、火災警報器Ｂが火災を検知した場合には、火災警報メッセージの出力とともに、連動信号が送信されるので、連動警報を中断中の火災警報器１（＃１、＃２）、ここでは、火災警報器Ｂ，Ｃ，Ｄのうち、火元以外の火災警報器１（＃１、＃２）、ここでは、火災警報器Ｃ，Ｄは、連動信号を受信して連動警報メッセージを出力させるので、住人は、連動警報を中断させて火元確認をしている間に、新たな火元が発生したことを知覚できる。
（実施形態２）
本発明の実施形態２では、各火災警報器１（＃１、＃２）の制御回路１０は、火災要因を検知していないときに、信号線を通じて連動信号、連動停止信号以外の他の信号を受信したときには、その信号に基づいた処理を行う信号処理を更に行うようにしており、先述した連動信号送信禁止処理では、連動信号の送信を禁止している間には、連動信号、連動停止信号以外の他の信号を、信号線Ｌに対して送信するようにしている。
【００５５】
すなわち、各火災警報器１（＃１、＃２）の制御回路１０は、火災要因を検知していないときに、連動コマンド、連動停止コマンド以外の他の信号（伝送コマンド）を、信号通信タイミングの間に受信したときには、その直後のコマンド処理タイミングで、受信した伝送コマンドに基づく処理を行う。
【００５６】
一方、連動信号送信禁止処理を行っている間には、実施形態１では連動コマンドの送信が一定時間の間は禁止されるが、そのような一定時間の間は、連動コマンド、連動停止コマンド以外の他の信号（伝送コマンド）を、先述した信号通信タイミングが来る毎に、同期信号の受信に続いて送信する。
【００５７】
例えば、火災警報器１（＃１、＃２）の制御回路１０が、連動コマンド、連動停止コマンド以外の他の伝送コマンドとして、確認コマンド（確認信号）を受信したときには、確認コマンドを受信した直後のコマンド処理タイミングの間に、「火元の確認中です」といった音声メッセージを出力する一方、連動信号送信禁止処理を行っている間には、信号通信タイミングがくる毎に、同期信号の受信に続いて確認コマンドを送信するようにすれば、以下の効果を奏することができる。なお、連動コマンド、連動停止コマンド以外の他のコマンドは、確認コマンドに限られるものではない。
【００５８】
すなわち、火元の火災警報器１（＃１、＃２）は、連動警報を出力している際に停止ボタン１３Ａが操作された他の火災警報器１（＃１、＃２）から連動停止コマンドを受信したときには、連動コマンドの送信を禁止するが、連動コマンドの送信を禁止している一定時間の間は、火元以外の火災警報器１（＃１、＃２）に対して確認コマンドを繰り返し送信して、これを受信した火元以外の火災警報器１（＃１、＃２）により、「火元の確認中です」といった音声メッセージを繰り返し出力させることができるため、住人は、連動警報が停止されている一定時間の間に、誰かが火元の確認作業を行っている最中だということを、容易に知覚でき、利便である。
【００５９】
なお、確認信号を受信したときに「火元の確認中です」といった音声メッセージを出力させる信号処理は、実施形態２に示す火災警報器１（＃１、＃２）を複数用いて構成された連動型火災警報システムにおいては、必ずしも、システムを構成する全ての火災警報器（＃１、＃２）に行わせる必要はなく、システムを構成するいずれかの火災警報器１（＃１、＃２）により行わせるようにすれば、火元の火災警報器１（＃１、＃２）から確認コマンドを受信した火元以外の火災警報器１（＃１、＃２）のいずれかにおいて、「火元の確認中です」といった音声メッセージを繰り返し出力させることができるので、同様の効果を奏することができる。
【００６０】
本発明では、先述したような実施形態１，２に示す構成の火災警報器１（＃１、＃２）を用いて、１本の信号線Ｌ上で、先述したような態様で信号の通信を行って、先述したような種々の処理が行えるため、低コストな連動型火災警報システムを提供できる。
【符号の説明】
【００６１】
１（＃１、＃２） 火災警報器
１０ 制御回路
１０Ａ 連動停止タイマ
１３Ａ 停止ボタン
Ｌ 信号線
【図１】
2010049717.tif 000003
【図２】
2010049717.tif 000004
【図３】
2010049717.tif 000005
【図４】
2010049717.tif 000006